(57)【要約】【課題】放熱器や吸熱器等が腐食したり、熱交換性能が低下することのない洗濯乾燥機を提供する。【解決手段】筐体１内に弾性支持された水槽３内に回転自在に設けられ衣類４を収容する回転槽５と、冷媒を圧縮する縦型圧縮機（図示せず）と、冷媒の熱を放熱する放熱器２３と、冷媒で周囲から熱を奪う吸熱器２１と、送風機１２により水槽３内より送風される空気を吸熱器２１、放熱器２３、水槽３内へと順に導く吸、放熱器風路２２、２４と、吸熱器２１で発生した結露水を貯める貯水室２９とを具備し、吸、放熱器風路２２、２４内に浸入した泡または洗浄水を貯水室２９へ導くもので、吸、放熱器風路２２、２４内に侵入した泡又は洗浄水が、吸熱器２１及び放熱器２３に接触することなく貯水室２９へ直接流れ込む為、吸熱器２１、放熱器２３の耐腐食性が向上し、熱交換性能が低下する事がない。【選択図】図２
2006174895.tif 000002
【特許請求の範囲】
【請求項１】
筐体内に弾性支持された水槽と、前記水槽内に回転自在に設けられ衣類を収容する回転槽と、冷媒を圧縮する圧縮機と、前記冷媒の熱を放熱する放熱器と、高圧の冷媒の圧力を減圧するための絞り手段と、減圧されて低圧となった冷媒で周囲から熱を奪う吸熱器と、送風手段により前記水槽内より送風される湿潤空気を前記吸熱器と放熱器に順に流した後の乾燥用空気を前記水槽内へと導く熱交換風路と、前記吸熱器で発生した結露水を貯める貯水室とを具備し、前記熱交換風路内に浸入した泡または洗浄水を前記貯水室へ導くようにした洗濯乾燥機。
【請求項２】
吸熱器の上流側の熱交換風路に、貯水室に連通する排水孔を設けた請求項１に記載の洗濯乾燥機。
【請求項３】
吸熱器の上流側の熱交換風路において上流側が低くなるように傾斜部を設け、前記傾斜部の上流側に排水孔を配した請求項２に記載の洗濯乾燥機。
【請求項４】
放熱器の下流側の熱交換風路に、貯水室に連通する排水孔を設けた請求項１〜３のいずれか１項に記載の洗濯乾燥機。
【請求項５】
放熱器の下流側の熱交換風路において下流側が低くなるように傾斜部を設け、前記傾斜部の下流側に排水孔を配した請求項４に記載の洗濯乾燥機。
【請求項６】
貯水室へ流入する液体内に混入しているリントを分離するフィルターを設けた請求項１〜５のいずれか１項に記載の洗濯乾燥機。
【請求項７】
熱交換風路を形成する風路構成部材を設け、前記風路構成部材により圧縮機を前記熱交換風路と隔離するとともに、前記圧縮機の少なくとも上部を前記風路構成部材により包囲するようにした請求項１〜６のいずれか１項に記載の洗濯乾燥機。
【請求項８】
風路構成部材に設けた支持部で圧縮機の上部を包囲すると共に、前記支持部と前記圧縮機の間に所定の間隙を設けた請求項７に記載の洗濯乾燥機。
【請求項９】
支持部と圧縮機との間に緩衝材を設けた請求項８に記載の洗濯乾燥機。
【請求項１０】
ターミナルを設けた圧縮機の上シェル部を風路構成部材で包囲するようにした請求項７〜９のいずれか１項に記載の洗濯乾燥機。      
【発明の詳細な説明】
【技術分野】
【０００１】
本発明は、洗濯・脱水と乾燥を同一回転槽内で行う洗濯乾燥機に関するものである。
【背景技術】
【０００２】
従来の洗濯乾燥機は、一般に図８に示すような構成であった。
【０００３】
以下、その構成について説明する。図７に示すように、筐体１の内部には、複数のサスペンション２によって弾性的に支持された円筒状の水槽３を設け、洗濯・脱水時の振動をサスペンション２によって吸収する構成としている。水槽３の内部には、洗濯または乾燥対象物である衣類４を収容する円筒状で横軸型の回転槽５を回転可能に配設し、駆動モータ６により回転軸６ａを回転させて回転槽５を回転駆動する。
【０００４】
回転槽５の内壁には衣類を撹拌する複数のバッフル（図示せず）が設けられ、回転槽５の周壁には小孔５ａを多数設けている。筐体１の前面には衣類４を出し入れする開口部１ａと、これを開閉する扉７が設けられている。水槽３および回転槽５の前面側にも同様の開口部３ａ、５ｂを有し、この水槽３の開口部３ａはベローズ８によって筐体１の開口部１ａと水密に連結されている。水槽３の底部には洗濯水を排出する排水口９を有し、排水弁１０を介して排水ホース１１に連結され、その先端部は洗濯乾燥機外に導出されている。
【０００５】
１２は、送風機で、ヒータ１３によって加熱された温風を給気口１４から回転槽５内に送風供給するものである。循環ダクト１５は、回転槽５および水槽３を通過した湿った乾燥用空気の除湿を行うもので、一端を水槽３の下部の排気口１６に接続し、他端を送風機１２に接続している。給水弁１７は、水道の蛇口等に接続された給水ホース１８からの給水を制御するものである。
【０００６】
上記構成における従来の洗濯乾燥機の動作を以下に説明する。
【０００７】
洗濯運転を行う場合は、扉７を開いて回転槽５内へ衣類４および洗剤を入れて運転を開始する。まず、給水弁１７が洗濯水側の給水口を開き、水槽３および回転槽５内に所定量の水が供給されると、駆動モータ６が作動し回転槽５が回転駆動され洗浄動作を行う。所定時間後、駆動モータ６が停止して排水弁１０が開き、汚れた水が回転槽５および水槽３から排水され、排水ホース１１を介して外部に排水される。
【０００８】
次に、上記と同様に水槽３および回転槽５に水が供給され、すすぎ動作を行う。すすぎが終了すると排水弁１０が開いて排水された後、回転槽５が駆動モータ６により高速で回転駆動されることにより、衣類４の脱水が行われる。
【０００９】
上記洗濯運転が終了すると、乾燥運転が開始する。乾燥工程では駆動モータ６により低速で回転槽５を回転駆動させ衣類４を撹拌しながらヒータ１３で加熱された空気は、温風となり、送風機１２により矢印ａの方向に送風され、給気口１４から回転槽５内へ送り込まれる。この温風は、衣類４の水分を奪った後、回転槽５の小孔５ａから水槽３内を通過して排気口１６を経て循環ダクト１５へ至る。
【００１０】
このとき給水弁１７が、冷却水側の給水口（図示せず）を開いており、循環ダクト１５内には冷却水が注水されている。衣類４の水分を奪って湿気を含んだ温風がこの循環ダクト１５内を通過するとき、冷却水により冷却されて水分の結露が起こり、湿った温風は除湿されて矢印に示すように再び送風機１２へ戻る。この冷却水および結露水は排水弁１０を介して機外へ排水される。この送風機１２、ヒータ１３、給気口１４、回転槽５、水槽３、排気口１６、循環ダクト１５の循環経路で温風を循環させることにより、回転槽５内の衣類４を乾燥させることができる。
【００１１】
上記従来の構成では、衣類４の乾燥に使用された熱は、循環ダクト１５の冷却水もしくは筐体１からの放熱によって全て外部に捨てられるものであり、再利用されることがなかった。
【００１２】
そこで、乾燥時の熱を回収し、それを有効に活用にする為に、冷媒を圧縮する圧縮機と、圧縮された冷媒の熱を放熱する放熱器と、高圧の冷媒の圧力を減圧するための絞り手段と、減圧されて低圧となった冷媒が周囲から熱を奪う吸熱器とを冷媒が循環するように管路で連結したヒートポンプ装置を、洗濯乾燥機に設けることが提案されている（例えば、特許文献１参照）。この構成によれば、衣類より蒸発させた水分を吸熱器に結露させることにより効率よく衣類の乾燥が行えることが分かっている。
【特許文献１】特公平６−７５６２８号公報
【発明の開示】
【発明が解決しようとする課題】
【００１３】
しかしながら、上記従来の洗濯乾燥機に設けられたヒートポンプ装置は、上述したように圧縮機と、放熱器と、絞り手段と、吸熱器とを銅管などの管路で連結して高圧の冷媒を循環させるが、放熱器や吸熱器等の熱交換器は、通常フィンチューブタイプであり、フィン材料としてアルミニウムを使用し、チューブとして銅管を使用している。洗濯乾燥機においては、乾燥用風回路内に洗濯水の原液や有機酸等が侵入して熱交換器を腐食し、熱交換性能を落としたり冷媒が漏洩することがありこの腐食対策が不可欠であった。また風回路内を通過するリント（糸くず）が熱交換器へ付着することによる風量低下や熱交換性能低下対策も不可欠であった。
【００１４】
本発明は、上記従来の課題を解決するもので、放熱器や吸熱器が洗濯水や有機酸による腐食の影響やリントによる風量低下や熱交換性能低下を受けにくくし、信頼性、耐久性、乾燥性能に優れた洗濯乾燥機を提供することを目的とする。
【課題を解決するための手段】
【００１５】
上記従来の課題を解決するために、本発明の衣類乾燥装置は、筐体内に弾性支持された水槽と、前記水槽内に回転自在に設けられ衣類を収容する回転槽と、冷媒を圧縮する圧縮機と、前記冷媒の熱を放熱する放熱器と、高圧の冷媒の圧力を減圧するための絞り手段と、減圧されて低圧となった冷媒で周囲から熱を奪う吸熱器と、送風手段により前記水槽内より送風される湿潤空気を前記吸熱器と放熱器に順に流した後の乾燥用空気を前記水槽内へと導く熱交換風路と、前記吸熱器で発生した結露水を貯める貯水室とを具備し、前記熱交換風路内に浸入した泡または洗浄水を前記貯水室へ導くようにしたもので、熱交換風路に侵入した泡又は洗浄水は熱交換器である吸熱器及び放熱器に接触することなく貯水室へ直接流れ込むため、泡又は洗浄水は熱交換器部へ到達することがなく確実に貯水室へ流すことができ、熱交換器の耐腐食性が向上することから熱交換性能の低下がなく、それらの部品の信頼性、耐久性を向上させ、優れた乾燥性能を保持することができる洗濯乾燥機を実現することができる。
【発明の効果】
【００１６】
本発明の洗濯乾燥機は、吸熱器や放熱器などの熱交換器が洗濯水や有機酸による腐食の影響やリントによる風量低下や熱交換性能低下を受けにくくし、信頼性、耐久性、乾燥性能に優れた洗濯乾燥機を実現することができる。
【発明を実施するための最良の形態】
【００１７】
第１の発明は、筐体内に弾性支持された水槽と、前記水槽内に回転自在に設けられ衣類を収容する回転槽と、冷媒を圧縮する圧縮機と、前記冷媒の熱を放熱する放熱器と、高圧の冷媒の圧力を減圧するための絞り手段と、減圧されて低圧となった冷媒で周囲から熱を奪う吸熱器と、送風手段により前記水槽内より送風される湿潤空気を前記吸熱器と放熱器に順に流した後の乾燥用空気を前記水槽内へと導く熱交換風路と、前記吸熱器で発生した結露水を貯める貯水室とを具備し、前記熱交換風路内に浸入した泡または洗浄水を前記貯水室へ導くようにしたもので、熱交換風路に侵入した泡又は洗浄水は熱交換器である吸熱器及び放熱器に接触することなく貯水室へ直接流れ込むため、泡又は洗浄水は熱交換器部へ到達することがなく確実に貯水室へ流すことができ、熱交換器の耐腐食性が向上することから熱交換性能の低下がなく、それらの部品の信頼性、耐久性を向上させ、優れた乾燥性能を保持することができる洗濯乾燥機を実現することができる。
【００１８】
第２の発明は、特に、第１の発明の吸熱器の上流側の熱交換風路に、貯水室に連通する排水孔を設けたもので、熱交換風路に侵入した泡又は洗浄水は熱交換器である吸熱器に接触することなく排水孔より貯水室へ直接流れ込むため、熱交換器の耐腐食性が向上し、熱交換性能の低下がなく、それらの部品の信頼性、耐久性を向上させ、優れた乾燥性能を保持することができる洗濯乾燥機を実現することができる。
【００１９】
第３の発明は、特に、第２の発明の吸熱器の上流側の熱交換風路において上流側が低くなるように傾斜部を設け、前記傾斜部の上流側に排水孔を配したもので、熱交換風路に侵入した泡又は洗浄水は熱交換器である吸熱器に接触することなく排水孔より貯水室へ直接流れ込むため、熱交換器の耐腐食性が向上し、熱交換性能の低下がなく、それらの部品の信頼性、耐久性を向上させ、優れた乾燥性能を保持することができる洗濯乾燥機を実現することができる。
【００２０】
第４の発明は、特に、第１〜３のいずれか一つの発明の放熱器の下流側の熱交換風路に、貯水室に連通する排水孔を設けたもので、熱交換風路に侵入した泡又は洗浄水は熱交換器である放熱器に接触することなく排水孔より貯水室へ直接流れ込むため、熱交換器の耐腐食性が向上し、熱交換性能の低下がなく、それらの部品の信頼性、耐久性を向上させ、優れた乾燥性能を保持することができる洗濯乾燥機を実現することができる。
【００２１】
第５の発明は、特に、第４の発明の放熱器の下流側の熱交換風路において下流側が低くなるように傾斜部を設け、前記傾斜部の下流側に排水孔を配したもので、熱交換風路に侵入した泡又は洗浄水は熱交換器である放熱器に接触することなく排水孔より貯水室へ直接流れ込むため、熱交換器の耐腐食性が向上し、熱交換性能の低下がなく、それらの部品の信頼性、耐久性を向上させ、優れた乾燥性能を保持することができる洗濯乾燥機を実現することができる。
【００２２】
第６の発明は、特に、第１〜５のいずれか１つの発明の貯水室へ流入する液体内に混入しているリントを分離するフィルターを設けたもので、排水孔を通過した液体内のリントや不純物はフィルターで分離されるので、リントが排水ポンプを通過することがなく、排水ポンプの信頼耐久性に優れた洗濯乾燥機を実現することができる。
【００２３】
第７の発明は、第１〜６のいずれか１つの発明の熱交換風路を形成する風路構成部材を設け、前記風路構成部材により圧縮機を前記熱交換風路と隔離するとともに、前記圧縮機の少なくとも上部を前記風路構成部材により包囲するようにしたもので、圧縮機は熱交換風路を通過する泡や洗浄水に接触することが無いため耐食性に優れた洗濯乾燥機を実現することができる。
【００２４】
第８の発明は、特に、第７の発明の風路構成部材に設けた支持部で圧縮機の上部を包囲すると共に、前記支持部と前記圧縮機の間に所定の間隙を設けたもので、外部振動により大きな加振力を受けても圧縮機と支持部が接触するため圧縮機の振動が抑制され、冷媒配管の曲がりや折れが発生することがないため信頼耐久性に優れ、また周囲を包囲されているため防音効果に優れた洗濯乾燥機を実現することができる。
【００２５】
第９の発明は、特に、第８の発明の支持部と圧縮機との間に緩衝材を設けたもので、大きな加振力が発生しても衝撃をやわらげることができるため圧縮機の信頼耐久性に優れ、吸音材としての機能も有するため低騒音化に優れた洗濯乾燥機を実現することができる。
【００２６】
第１０の発明は、特に、第７〜９のいずれか一つの発明のターミナルを設けた圧縮機の上シェル部を風路構成部材で包囲するようにしたもので、泡又は洗浄水からターミナル部が保護されるため絶縁耐圧性に優れた洗濯乾燥機を実現することができる。
【００２７】
以下、本発明の実施の形態について、図面を参照しながら説明する。なお、この実施の形態により、本発明が限定されるものでは無い。
【００２８】
（実施の形態１）
図１は、本発明の第１の実施の形態における洗濯乾燥機の外観斜視図で、図２は、同洗濯乾燥機の断面図、図３は、図２のＡ−Ａ断面図、図４は、図２のＢ−Ｂ断面図、図５は、同洗濯乾燥機に搭載されたヒートポンプ装置の構成と乾燥用空気の流れを示すシステム概念図である。
【００２９】
図１〜５に示すように、筐体１の内部には、複数のサスペンション２によって弾性的に支持された円筒状の水槽３を設け、洗濯・脱水時の振動をサスペンション２によって吸収する。水槽３の内部には、衣類４を収容する円筒状で横軸型の回転槽５を回転可能に設け、駆動モータ６により回転槽５が回転駆動される。筐体１の前面には衣類４を出し入れする開口部１ａと、これを開閉する扉７が設けられている。水槽３および回転槽５の前面側にも同様の開口部３ａ、５ｂを有し、この水槽３の開口部３ａはベローズ８によって筐体１の開口部１ａと水密に連結されている。水槽３の底部には洗濯水を排出する排水口（図示せず）を有し排水弁（図示せず）、排水ホース１１に連結されている。
【００３０】
送風手段を形成する送風機１２は、筐体１の上面１ｄと水槽３が成す隅部空間に位置するように、水槽３の外周面に設けられている。筐体１の、背面下部には、ヒートポンプ装置を構成する熱交換器からなる吸熱器２１に矢印ｅの方向に空気を流す熱交換風路の一部である吸熱器風路２２と、同様に熱交換器からなる放熱器２３に矢印ｆの方向に空気を流す熱交換風路の一部である放熱器風路２４とがそれぞれの熱交換器が略ハの字状になるように並べて配設されている。このため吸熱器風路２２と放熱器風路２４とは循環ダクト２５で連通しており、吸熱器２１および放熱器２３を通過する空気が効率よく略Ｕ字状に流れるようになっている。さらに吸熱器風路２２と放熱器風路２４と循環ダクト２５は一体にコンパクトに構成することができるため、ユニットとして筐体１の背面下部に固定されている。
【００３１】
送風機１２で送風される乾燥用空気は、可撓性接続管１９を通って吸熱器風路２２の吸熱器２１を通過し、循環ダクト２５を介して放熱器風路２４の放熱器２３を通過して図３の矢印ｂに示すように、可撓性接続管１９、送風路２０を通り給気口１４から回転槽５内に入り、回転槽５内の衣類４を通過した後、排気口１６から出て、送風機１２へ戻り、循環するようになっている。
【００３２】
また、ヒートポンプ装置は、図５に示すように、縦型圧縮機２６、および圧縮された冷媒の熱を放熱する放熱器２３、および高圧の冷媒の圧力を減圧するための絞り弁や毛細管等からなる絞り手段２７、および減圧されて低圧となった冷媒が周囲から熱を奪う吸熱器２１とを冷媒が循環するように管路２８で連結されており、冷媒は矢印ｈの方向に流れて循環し、ヒートポンプサイクルを形成する。
【００３３】
以上のような構成における洗濯乾燥機の動作について説明する。
【００３４】
洗浄工程では、排水弁（図示せず）を閉じた状態で水槽３内に所定の水位に達するまで給水を行い、駆動モータ６により衣類４と洗浄水の入った回転槽５を回転させて洗浄を行う。
【００３５】
また、洗浄後の濯ぎ工程でも、洗浄工程と同様に水槽３内に給水され、回転槽５を回転させて衣類４の濯ぎを行う。脱水工程では、排水弁を開いて機外へ水を排水した後、駆動モータ６により衣類４の入った回転槽５を高速回転して脱水する。
【００３６】
乾燥工程では、ヒートポンプ装置の縦型圧縮機２６を作動させると、冷媒が圧縮され、この圧力により放熱器２３、絞り手段２７、吸熱器２１を循環する。放熱器２３では冷媒の圧縮で熱が放出され、吸熱器２１では絞り手段２７で減圧されて低圧となった冷媒により熱が吸収される。このとき送風機１２が作動し、放熱器２３の放熱により加熱された温風が送風路２０を通って給気口１４から回転槽５内に送風される。回転槽５は駆動モータ６により回転駆動され衣類４は上下に撹拌される。
【００３７】
回転槽５内に送風された温風は、この衣類４の隙間を通るときに水分を奪い、湿った状態で水槽３の排気口１６を経て送風機１２を通り、吸熱器風路２２に至る。この湿った温風は、吸熱器２１を通過する際に顕熱と潜熱が奪われて除湿され、乾いた空気と結露水に分離される。この乾いた空気は、循環ダクト２５を通って放熱器風路２４に入り、放熱器２３で再び加熱され温風となって、送風路２０へと循環する。結露水は吸熱器２１の下部に設けられた貯水室２９に貯水され、排水ポンプ３５を介して排水ホース１１より機外へ排出される。
【００３８】
このようにヒートポンプ装置を用いることにより、吸熱器２１で吸熱した熱を冷媒で回収して再び放熱器２３で放熱して、縦型圧縮機２６に入力したエネルギー以上の熱量を衣類４に与えることができるため、乾燥効率を向上させることができるので乾燥時間の短縮と省エネを実現することが可能になる。
【００３９】
また吸熱器２１の上流側の吸熱器風路２２には、貯水室２９へ連通する排水孔ａ３０を有し、吸熱器２１と排水孔ａ３０との間の吸熱器風路２２には上流側が低くなるように傾斜部ａ３２が設けられており、また放熱器２３の下流側の放熱器風路２４には貯水室２９へ連通する排水孔ｂ３１を有し、放熱器２３と排水孔ｂ３１との間の放熱器風路２４には下流側が低くなるように傾斜部ｂ３３が設けられているため、熱交換風路に侵入した泡又は洗浄水は、熱交換器である吸熱器２１及び放熱器２３に接触することなく排水孔ａ３０または排水孔ｂ３１より貯水室２９へ直接流れ込む。また傾斜部ａ３２及び傾斜部ｂ３３を設けているため泡又は洗浄水は吸熱器２１及び放熱器２３へ到達することがなく確実に貯水室２９へ流すことができる。吸熱器２１及び放熱器２３の耐腐食性が向上することから熱交換性能が低下することがなく、ヒートポンプ装置の信頼性、耐久性を向上させ、優れた乾燥性能を保持することができる。
【００４０】
また貯水室２９には、貯水室２９へ流入する液体内に混入しているリントを分離するフィルター３４が設けられており、貯水室２９は排水ポンプ３５と連通しているため、排水孔ａ３０または排水孔ｂ３１を通過した液体内のリントや不純物はフィルター３４で分離される。フィルター３４を通過した液体は排水ポンプ３５により吸い込み吐出され排水ホース１１より機外へ排出されるので、リントが排水ポンプ３５を通過することがなく、信頼耐久性に優れている。
【００４１】
また熱交換風路を形成する風路構成部材３６により縦型圧縮機２６を熱交換風路より隔離しており、縦型圧縮機２６の上部を風路構成部材３６により所定量の間隙を設けて支持部３７を形成しているため、縦型圧縮機２６は熱交換風路を通過する泡や洗浄水に接触することが無く、耐食性に優れている。また外部振動により大きな加振力を受けても縦型圧縮機２６と支持部３７が接触するため縦型圧縮機２６の振動が抑制される。管路２８の曲がりや折れが発生することがなく周囲を包囲されているため防音効果としても優れている。
【００４２】
さらに、支持部３７と縦型圧縮機２６との間に緩衝材３８を設けるようにすると、大きな加振力が発生しても衝撃をやわらげることができる。また、吸音材としての機能を有するため低騒音化に有効である。
【００４３】
また縦型圧縮機２６の上シェル部２６ａのターミナル３９は風路構成部材３６により包囲されているため、泡又は洗浄水からターミナル３９部が保護されるため絶縁耐圧性に優れている。
【００４４】
なお、本実施の形態では回転槽５の駆動モータ６を有する水槽３の面と相反する面に衣類４を出し入れする開口部１ａを設けたが、前記開口部１ａは前記場所に限定されず水槽３及び回転槽５の如何なる位置に設定されても良い。
【００４５】
また支持部３７は、略円筒状の形状をしているが、鉛直方向に複数のスリットを設けて縦型圧縮機２６と支持部３７の接触時の衝撃を和らげることも可能である。
【００４６】
また縦型圧縮機２６と緩衝材３８との間に所定量の間隙を設けているが間隙は無くてもかまわない。
【００４７】
また、ヒートポンプ装置に使用する冷媒は、フロン系に限らず自然冷媒である二酸化炭素やイソブタン、プロパンを使用しても良い。また本実施の形態では縦型圧縮機を使用しているが、横型圧縮機を使用してもよい。
【００４８】
（実施の形態２）
図６は、本発明の第２の実施の形態における洗濯乾燥機の要部断面図、図７は、同要部の右側面図を示す。なお、上記第１の実施の形態と同一部分については、同一符号を付してその詳細な説明は省略する。
【００４９】
本実施の形態は、図６、７に示すように傾斜部ｃ４０又は傾斜部ｂ４１の傾斜面を鉛直方向としているため、泡又は洗浄水が放熱器２３へ接触することなく直接貯水室２９へ流れ込むため放熱器２３の耐腐食性が向上することから熱交換性能の低下を防止し、ヒートポンプ装置の信頼性、耐久性を向上させ、優れた乾燥性能を保持することができる。また、縦型圧縮機２６の支持部３７と風路構成部材３６を兼用することにより、縦型圧縮機２６周りをコンパクトな構成とすることができ、且つ耐腐食性、耐水性、防音性、防振性に優れた洗濯乾燥機を提供することができるものである。
【産業上の利用可能性】
【００５０】
以上のように、本発明にかかる洗濯乾燥機は、熱交換風路内の泡または洗浄水を排水孔を経由して貯水室へ導くようにしているので、熱交換器への腐食の影響や風回路として風量低下や熱交換性能低下を受けにくくしており、ヒートポンプ装置の信頼性、耐久性を向上させ、優れた乾燥性能を保持することができるので乾燥、除湿を行う洗濯機等に有用である。
【図面の簡単な説明】
【００５１】
【図１】本発明の実施の形態１における洗濯乾燥機の外観斜視図
【図２】同洗濯乾燥機の断面図
【図３】図２のＡ−Ａ断面図
【図４】図２のＢ−Ｂ断面図
【図５】同洗濯乾燥機のシステム概念図
【図６】本発明の実施の形態２における洗濯乾燥機の熱交換風路部の要部断面図
【図７】同熱交換風路部の要部断面図
【図８】従来の洗濯乾燥機の断面図
【符号の説明】
【００５２】
１    筐体
３    水槽
４    衣類
５    回転槽
６    駆動モータ
１２    送風機（送風手段）
１４    給気口
２０    送風路
２１    吸熱器
２２    吸熱器風路（熱交換風路）
２３    放熱器
２４    放熱器風路（熱交換風路）
２６    縦型圧縮機（圧縮機）
２８    管路
２９    貯水室
３０    排水孔ａ
３１    排水孔ｂ
３２    傾斜部ａ
３３    傾斜部ｂ
３４    フィルター
３５    排水ポンプ
３６    風路構成部材
３７    支持部
３８    緩衝材
３９    ターミナル
【図１】
2006174895.tif 000003
【図２】
2006174895.tif 000004
【図３】
2006174895.tif 000005
【図４】
2006174895.tif 000006
【図５】
2006174895.tif 000007
【図６】
2006174895.tif 000008
【図７】
2006174895.tif 000009
【図８】
2006174895.tif 000010